(57)【要約】【課題】  記録媒体に記録されたコンテンツを別の方式で再生する際にも製作者の意図どおりにコンテンツを送信すること。【解決手段】  記録媒体６、コンテンツ読出し部２０１、再生情報生成部２０２、コンテンツ送信部２０３、ネットワーク通信処理部２０８を備え、記録媒体に記録されたコンテンツの再生情報をコンテンツ受信装置に送信する際に、コンテンツ送信装置と受信装置間の通信方式に沿った形式に変換し、コンテンツ受信装置はコンテンツ送信装置のローカルコンテンツをコンテンツ製作者の意図どおりに再生する。【選択図】図２
2012178622.tif 000002
【特許請求の範囲】
【請求項１】
ローカルコンテンツ再生装置を有するコンテンツ送信装置であって、
ローカルコンテンツ再生装置からコンテンツを読出す、コンテンツ読出し部と、
コンテンツ受信装置と接続し情報の受け渡しを行う、ネットワーク制御部と、
ローカルコンテンツの再生制御方法をコンテンツ受信装置との接続方式で規定されている再生制御方法に変換する、再生情報変換部と、
コンテンツに前記再生情報変換部で変換された再生情報を重畳して送信する、コンテンツ送信部と、
を有するコンテンツ送信装置。
【請求項２】
請求項１記載のコンテンツ送信装置であって、
コンテンツ送信部が前記再生情報をＨＴＴＰまたはＴＣＰ／ＩＰのヘッダ情報に格納することを特徴とするコンテンツ送信装置。
【請求項３】
ローカルコンテンツ再生装置を有するコンテンツ送信装置であって、
ローカルコンテンツ再生装置からコンテンツを読出す、コンテンツ読出し部と、
コンテンツ受信装置と接続し情報の受け渡しを行う、ネットワーク制御部と、
ローカルコンテンツの再生制御方法をコンテンツ受信装置との接続方式で規定されている再生制御方法に変換する、再生情報変換部と、
前記再生情報変換部が生成した再生情報を送信する再生情報送信部を有し、
前記再生情報送信部がコンテンツ受信装置にコンテンツ一覧送信時またはコンテンツ再生開始前に前記再生情報を送信することを特徴とするコンテンツ送信装置。
【請求項４】
請求項３に記載のコンテンツ送信装置であって、
前記再生情報送信部が送信する前記再生情報が、コンテンツ送信装置の所有するコンテンツ一覧情報の一部であり、コンテンツ受信装置に前記再生情報が付加されていることを通知することを特徴としたコンテンツ送信装置。
【請求項５】
請求項１から請求項３に記載のコンテンツ送信装置であって、
前記再生情報送信部が送信する前記再生情報として制限情報が付加さされているにもかかわらず、コンテンツ受信装置から許可されない操作が指示された場合、該制限情報の制限が解除されてから該操作を受付けてコンテンツ送信する、コンテンツ送信装置。
【請求項６】
ローカルコンテンツを別の装置に送信可能なコンテンツ送信装置からコンテンツを受信するコンテンツ受信装置であって、
コンテンツ送信装置と接続し情報の受け渡しを行う、ネットワーク制御部と、
コンテンツ送信装置から送信されるコンテンツを再生する、コンテンツ再生部と、
コンテンツ送信装置からコンテンツの再生情報を受信し、該再生情報に基づきコンテンツの再生制御を行う再生情報管理部とを有し、
コンテンツ再生前に前記再生情報を受信し、前記再生情報に従ってコンテンツの再生を制御することを特徴とするコンテンツ受信装置。
【請求項７】
ローカルコンテンツの再生ステップを有するコンテンツ送信方法であって、
ローカルコンテンツ再生装置からコンテンツを読出す、コンテンツ読出しステップと、
コンテンツ受信装置と接続し情報の受け渡しを行う、通信ステップと、
ローカルコンテンツの再生制御方法をコンテンツ受信装置との接続方式で規定されている再生制御方法に変換する、再生情報変換ステップと、
コンテンツに再生情報変換部で変換された再生情報を重畳して送信する、コンテンツ送信ステップと、
を有するコンテンツ送信方法。
【請求項８】
請求項７記載のコンテンツ送信方法であって、
コンテンツ送信ステップにおいて前記再生情報をＨＴＴＰまたはＴＣＰ／ＩＰのヘッダ情報に格納するステップを有することを特徴とするコンテンツ送信方法。
【請求項９】
ローカルコンテンツの再生ステップを有するコンテンツ送信方法であって、
ローカルコンテンツ再生装置からコンテンツを読出す、コンテンツ読出しステップと、
コンテンツ受信装置と接続し情報の受け渡しを行う、通信ステップと、
ローカルコンテンツの再生制御方法をコンテンツ受信装置との接続方式で規定されている再生制御方法に変換する、再生情報変換ステップと、
再生情報変換ステップで生成した再生情報をコンテンツ受信装置に送信する再生情報送信ステップを有し、
前記再生情報送信ステップでコンテンツ受信装置に事前に前記再生情報を送信することを特徴とするコンテンツ送信方法。
【請求項１０】
請求項９に記載のコンテンツ送信方法であって、
前記再生情報送信ステップにおいて、送信する前記再生情報が、コンテンツ送信装置の所有するコンテンツ一覧情報の一部であり、コンテンツ受信装置に前記再生情報が付加されていることを通知することを特徴としたコンテンツ送信方法。
【請求項１１】
請求項７から請求項９に記載のコンテンツ送信方法であって、
前記再生情報送信ステップにおいて、送信する前記再生情報として制限情報が付加さされているにもかかわらず、コンテンツ受信装置から許可されない操作が指示された場合、該制限情報の制限が解除されてから該操作を受付けコンテンツ送信する、コンテンツ送信方法。
【請求項１２】
ローカルコンテンツを別の装置に送信可能なコンテンツ送信装置からコンテンツを受信するコンテンツ受信方法であって、
コンテンツ送信装置と接続し情報の受け渡しを行う、コンテンツ受信ステップと、
コンテンツ送信装置から送信されるコンテンツを再生する、コンテンツ再生ステップと、
コンテンツ送信装置からコンテンツの再生情報を受信し、該再生情報に基づきコンテンツの再生制御を行う再生情報管理ステップとを有し、
コンテンツ再生前に前記再生情報を受信し、前記再生情報に従ってコンテンツの再生を制御することを特徴とするコンテンツ受信方法。
【発明の詳細な説明】
【技術分野】
【０００１】
本発明は、コンテンツ送信装置/受信装置、コンテンツ送信方法/受信方法に関する。
【背景技術】
【０００２】
ＢＤやＤＶＤなどの記録メディアには、映像や音声を記録するとともにインタラクティブなコンテンツを収録し、ユーザの操作によって、表示するシーンを変化させたりすることができる。このようなにコンテンツ製作者の意図どおりに再生させるために、特許文献１記載の課題として、「ＤＶＤ（Digital Video Disk）に代表される映像、音声等の情報を高密度に記録可能な高密度光ディスク等の情報記録媒体を用いてインタラクティブな再生を行う際に、製作者の側から所望の制限を容易に加えられるようにする。」と記載され、解決手段として、「ＤＶＤ１には、アクセス可能な単位であり主映像情報、音声情報及びアクセス情報を含む制御情報から夫々構成される複数のＶＯＢＵに区分されて、情報が記録トラック上に記録されている。更に、ＤＶＤ１には、映像情報及び音声情報の再生手順を規定する再生手順情報と複数のセルにおけるサーチ動作の禁止を示す第１サーチ禁止フラグとを含むＰＧＣＩが、記録トラックの一部にまとめて記録されている。情報再生装置Ｓ２は、サーチ動作が指定された場合には、ＰＧＣＩに含まれる第１動作禁止フラグにより禁止されている場合には、その実行を行わないように再生装置Ｓ２の各部を制御するシステムコントローラ１００を備える。」と記載されている。
【０００３】
一方、デジタル映像信号処理技術の発展に伴い、デジタル放送を受信するデジタルチューナ、該デジタルチューナ内蔵テレビ（以下、ＤＴＶ）や、デジタル放送番組を録画・再生するデジタル記録装置（例えば、ＨＤＤレコーダやＤＶＤ（Ｄｉｇｉｔａｌ Ｖｅｒｓａｔｉｌｅ Ｄｉｓｃ）レコーダ、ＢＤ(Ｂｌｕ-ｒａｙ Ｄｉｓｃ)レコーダ、ＮＡＳ（Ｎｅｔｗｏｒｋ Ａｔｔａｃｈｅｄ Ｓｔｏｒａｇｅ）等）のデジタルＡＶ装置が次々と製品化されている。また、ブロードバンド／インターネットの普及により、これらのＰＣやデジタルＡＶ装置に有線／無線ＬＡＮ（Ｌｏｃａｌ Ａｒｅａ Ｎｅｔｗｏｒｋ）、ＩＥＥＥ１３９４、ＵＳＢ（Ｕｎｉｖｅｒｓａｌ ＳｅｒｉａｌＢｕｓ）、ＨＤＭＩ（Ｈｉｇｈ Ｄｅｆｉｎｉｔｉｏｎ Ｍｕｌｔｉｍｅｄｉａ Ｉｎｔｅｒｆａｃｅ）などのデジタルインタフェースを搭載し、ネットワークを介して宅内／宅外でデジタルコンテンツを伝送することが可能になってきた。特に宅内に構築されたネットワークを利用してデジタルコンテンツの共有を行うためのガイドラインとしてＤＬＮＡ（Ｄｉｇｉｔａｌ Ｌｉｖｉｎｇ Ｎｅｔｗｏｒｋ Ａｌｌｉａｎｃｅ）が広く普及している。現在、市場にはＰＣを含めた多くのＡＶ装置がＤＬＮＡに対応した製品を発売している。デジタルＡＶ装置の間でデジタルコンテンツを送信する際には、コンテンツ送信装置側において暗号化を行い、コンテンツ受信装置側との間で復号化のための情報の共有化を行うことによって、送信先であるコンテンツ受信装置以外の機器ではコンテンツが復号されない様にして、無制限なコピーの作成を防ぐコピープロテクトが実施されている。このようなコピープロテクトの方法の一例としてデジタルＡＶ機器に取り入れられているものには、例えば特許文献２に記載の方式がある。特許文献２に記載の方式ではコンテンツを「Ｃｏｐｙ ｆｒｅｅ（制限なくコピー可）」「Ｃｏｐｙ ｆｒｅｅ ｗｉｔｈ ＥＰＮ ａｓｓｅｒｔｅｄ（出力保護付きで制限なくコピー可）」「Ｃｏｐｙ ｏｎｅ ｇｅｎｅｒａｔｉｏｎ（１世代コピー可）」「Ｎｏ ｍｏｒｅ ｃｏｐｉｅｓ（再コピー禁止）」「Ｃｏｐｙ ｎｅｖｅｒ（コピー禁止）」に分類して管理し、録画装置では「Ｃｏｐｙ ｆｒｅｅ」「Ｃｏｐｙ ｆｒｅｅ ｗｉｔｈ ＥＰＮ ａｓｓｅｒｔｅｄ」「Ｃｏｐｙ ｏｎｅ ｇｅｎｅｒａｔｉｏｎ」のコンテンツだけを記録し、「Ｃｏｐｙ ｏｎｅ ｇｅｎｅｒａｔｉｏｎ」のコンテンツは一度記録した後は「Ｎｏ ｍｏｒｅ ｃｏｐｉｅｓ」として取り扱い、ネットワーク／バス上では「Ｃｏｐｙ ｆｒｅｅ」のコンテンツを除いて送信側で暗号化処理を施して伝送を行うことによって、無制限なコンテンツのコピーが行えないようにしている。特許文献３においては、機器間でのコンテンツ伝送の際に、コンテンツの著作権保護を高める技術が開示されている。一方、映画や音楽などの映像・音声コンテンツはＢＤ、ＤＶＤ、ＣＤ（Ｃｏｍｐａｃｔ Ｄｉｓｃ）などの光ディスクへ記録され広く流通している。光ディスクに著作権保護すべきコンテンツが記録される場合には、コピープロテクト技術として、ＡＡＣＳ（Ａｄｖａｎｃｅｄ ＡｃｃｅｓｓＣｏｎｔｅｎｔ Ｓｙｓｔｅｍ）、ＣＳＳ（Ｃｏｎｔｅｎｔ Ｓｃｒａｍｂｌｅ Ｓｙｓｔｅｍ）、ＣＰＲ���（Ｃｏｎｔｅｎｔ Ｐｒｏｔｅｃｔｉｏｎ Ｒｅｃｏｒｄａｂｌｅ Ｍｅｄｉａ）などＤＲＭ（Ｄｉｇｉｔａｌ Ｒｉｇｈｔｓ Ｍａｎａｇｅｍｅｎｔ）技術が使用されている。
【先行技術文献】
【特許文献】
【０００４】
【特許文献１】特開平９−２７４７７６公報
【特許文献２】特開２００５−２６９２８８
【特許文献３】特開２０１０−１１９１３７号公報
【発明の概要】
【発明が解決しようとする課題】
【０００５】
従来技術ではＢＤやＤＶＤなどの記録メディアに記録されたコンテンツを、プレーヤーなど装置単体で使用するときに限ってその製作者が意図したとおりに再生することができた。また、ＤＴＣＰ−ＩＰ規格など、セキュアな通信路を確保し、個人的利用の範囲を逸脱したコンテンツの不正なコピー作成を防止できる配信する技術がすでに開示されている。しかし、ＢＤやＤＶＤなどの記録メディアに記録されたコンテンツをネットワークを介した別の機器にコンテンツ製作者が意図したとおりに送信することは考慮されていない。
【０００６】
例えば、コンテンツの最初にコンテンツに関する注意喚起を行う必要があるにもかかわらず、ユーザが操作によってスキップしてしまうといった事態が生じてしまう。
【課題を解決するための手段】
【０００７】
そこで本発明は、例えば一つの実施態様として、コンテンツ送信装置であって、ローカルコンテンツ再生装置からコンテンツを読出す、コンテンツ読出し部と、
コンテンツ受信装置と接続し情報の受け渡しを行う、ネットワーク制御部と、
ローカルコンテンツの再生制御方法をコンテンツ受信装置との接続方式で規定されている再生制御方法に変換する、再生情報変換部と、
コンテンツに再生情報変換部で変換された再生情報を重畳して送信する、コンテンツ送信部と、
を有し、
通信規格に準じた形式に再生情報を変換してコンテンツ受信装置へコンテンツとともに送信する。
また、コンテンツ受信装置からの特殊再生要求に対して、ローカルコンテンツの再生情報を参照し、ローカルコンテンツの再生情報沿った再生を優先して行い、コンテンツ受信装置からの特殊再生要求は本要求が可能となった時点で自動的に実行する。
【発明の効果】
【０００８】
再生情報が付与されたローカルコンテンツを送信する際に、ローカルコンテンツ再生装置に接続されたコンテンツ受信装置で視聴する際にもローカルコンテンツの製作者の意図どおりに再生することができる。
【図面の簡単な説明】
【０００９】
【図１】本発明に係るコンテンツ送信装置を含む全体構成を説明するブロック図である。
【図２】コンテンツ送信装置と受信装置を説明するブロック図である。
【図３】コンテンツ送信装置と受信装置を説明するブロック図である。
【図４】コンテンツ受信装置の再生制御部のブロック図
【図５】再生制御区間の説明図
【図６】再生が制限された区間外の再生要求があった場合の再生イメージ図
【図７】再生が制限された区間外の再生要求があった場合の再生フローチャート
【図８】コンテンツの内容の一例
【発明を実施するための形態】
【実施例１】
【００１０】
以下、この発明に好適な実施形態の例について図面を参照しながら説明する。
【００１１】
本実施例は、テレビやＰＣなどのコンテンツ受信装置がネットワークを介してコンテンツ送信装置から送信されるコンテンツを視聴する例である。図１は本実施例の全体像を表す。コンテンツ送信装置１００には、光ディスクドライブ１０１と内蔵ストレージ１０２を備え、ＬＡＮ（Ｌｏｃａｌ  Ａｒｅａ  Ｎｅｔｗｏｒｋ）１０４を介して、コンテンツ受信装置であるテレビ１０３と通信することができる。
【００１２】
ＬＡＮ１０４においては、ネットワークプロトコルとして標準のＩＰ（Ｉｎｔｅｒｎｅｔ Ｐｒｏｔｏｃｏｌ）を使用し、上位のトランスポートプロトコルにはＴＣＰ（Ｔｒａｎｓｍｉｓｓｉｏｎ Ｃｏｎｔｒｏｌ Ｐｒｏｔｏｃｏｌ）およびＵＤＰ（Ｕｓｅｒ Ｄａｔａｇｒａｍ Ｐｒｏｔｏｃｏｌ）を用いる。コンテンツの伝送には更に上位のアプリケーションプロトコル、例えばＲＴＰ（Ｒｅａｌ−ｔｉｍｅ Ｔｒａｎｓｐｏｒｔ Ｐｒｏｔｏｃｏｌ）やＨＴＴＰ（Ｈｙｐｅｒ Ｔｅｘｔ Ｔｒａｎｓｆｅｒ Ｐｒｏｔｏｃｏｌ）、ＦＴＰ（Ｆｉｌｅ Ｔｒａｎｓｆｅｒ Ｐｒｏｔｏｃｏｌ）等が使用される。なお、ＩＰにはバージョンの違いとしてＩＰｖ４とＩＰｖ６が有るが、そのどちらかに限定される物ではない。また、図には示していないが、各装置は、ＬＡＮによりハブやルータを介して接続されても良い。
【００１３】
コンテンツ送信装置１００は光ディスクドライブ１０１に装鎮された光ディスクに記録されているコンテンツをネットワーク経由で再生するために、フォーマットを変換して送信する。
【００１４】
送信するコンテンツが著作権を保護するべきコンテンツである場合には、ネットワーク上での不正コピーや改竄を防止するため、ＤＴＣＰ−ＩＰ（Ｄｉｇｉｔａｌ Ｔｒａｎｓｍｉｓｓｉｏｎ Ｃｏｎｔｅｎｔ Ｐｒｏｔｅｃｔｉｏｎ ｏｖｅｒ Ｉｎｔｅｒｎｅｔ Ｐｒｏｔｏｃｏｌ）を使用する。
【００１５】
図２は、本発明に係るコンテンツ送信装置１とコンテンツ受信装置２の全体構成を説明するブロック図である。
【００１６】
コンテンツ送信装置１はＤＶＤやＢＤ等の１つ或いは複数の可換の記録媒体３を内蔵し、コンテンツ読出し部２０１、再生情報生成部２０２、コンテンツ送信部２０３、認証部２０４、鍵生成部２０５、暗号化部２０６、ネットワーク通信処理部２０８を備える。コンテンツ読出し部２０１は光ディスクドライブ１０１に相当し、記録媒体３から読み出した情報は再生情報生成部２０２とコンテンツ送信部２０３に送られる。認証部２０４は再生情報生成部２０２と鍵生成部２０５、ネットワーク通信処理部２０８に接続されている。暗号化部２０６はコンテンツ送信部２０３と鍵生成部２０５とネットワーク信号処理部２０８と接続されている。
【００１７】
コンテンツ受信装置２には、ネットワーク通信処理部２０９、認証２１０、鍵生成２１１、復号化２１２、再生情報管理部２１３、コンテンツ受信部２１４、コンテンツ再生部２１５を備える。ネットワーク通信処理部２０９は、コンテンツ送信装置１とＬＡＮを介して接続されている。認証部２１０は鍵生成部２１１と接続されている。鍵生成部２１１は認証部２１０から指示を受取り復号化部２１２に指示する。コンテンツ受信部２１４は復号化部２１２からデータを受取りコンテンツ再生部２１５に出力する。
【００１８】
記録媒体３は、ＤＶＤ（Ｄｉｇｉｔａｌ Ｖｅｒｓａｔｉｌｅ Ｄｉｓｃ）やＢＤ（Ｂｌｕ−ｒａｙ Ｄｉｓｃ）などの映像音声などのコンテンツを想定している。尚、ＤＶＤおよびＢＤには映像音声データだけでなく、ユーザからのリモコン操作を受け付けて再生モードを変更することができるような再生制御用の情報も記録されている。例えば、チャプタをジャンプして見たいところから再生するなどといった機能をもつ。これによりユーザは見たいシーンだけを見ることができる。また、音声言語の切り替えなどもコンテンツ製作者が製作したメニュー画面を通じて設定できる。ＤＶＤやＢＤはユーザに対して前述のような指定位置からの再生や動作モードの切り替えなどの機能をユーザに提供する一方、これらユーザの操作をコンテンツ製作者が制限する機能も持っている。これは、例えば、コンテンツの先頭にコンテンツの注意書きなどを表示する場合に、そのシーンのスキップや早送りといった特殊再生ができないようにすることで、ユーザが誤操作により重要な情報を見落とさないようにして、確実に注意喚起することができる。記録媒体３は、ＤＶＤやＢＤ以外にもＳＤカードやハードディスクなどさまざまな媒体があり、映像音声コンテンツまたは映像のみあるいは音声のみのコンテンツでもよく、ユーザ操作よりもコンテンツ製作者の意図が優先して反映させることのできる再生フォーマットであればよい。
【００１９】
コンテンツ読出し部２０１は、記録媒体３に記録されたコンテンツを読み出す部分で、記録媒体に記録された映像音声データと映像音声データの管理情報を読出す。映像音声データが著作権保護すべきコンテンツであり、ＡＡＣＳ、ＣＰＲＭ、ＣＳＳ等の暗号化されたデータである場合には、コンテンツ読出し部２０１はコンテンツを復号化しながら読み出す。管理情報には、映像音声データの種類を特定するための情報や、映像音声データのシーンやタイトルに関する情報が含まれている。これにより、連続に記録された映像音声データであっても、指定した位置からの再生を可能にする。したがって、ユーザは先頭から再生し見たいシーンを探す手間が省け、容易に見たいシーンへジャンプし再生することができる。
【００２０】
再生情報生成部２０２はコンテンツ読出部２０１から読出した管理情報から後述する認証部２０４からあらかじめ指定されたフォーマットに変換する。本実施例では認証部２０４からＤＴＣＰ−ＩＰ（Digital Transmission Content Protection over Internet Protocol）規格に準拠するようにフォーマット変換を行う。ＤＴＣＰ−ＩＰを使用してコンテンツの送受信をおこなうと、不正コピーを防止しつつデータの送受信を行うことができる。そのため、記録媒体３に記録されたコンテンツを不正にコピーされることなく他の端末に送信することができ、記録媒体３に記録されたコンテンツの著作権者の権利を守ることができる。ここで、管理情報には前述のとおり映像音声データのシーンやタイトルに関する情報がコンテンツ一覧情報として含まれており、これらの情報を別のフォーマットに変換する。具体的な説明は後述する。
【００２１】
コンテンツ送信部２０３は、前記再生情報生成部２０２から送信される再生情報とコンテンツ読出部２０１から取得するコンテンツの映像音声データをＤＴＣＰ−ＩＰ規格に準拠した構成で送信する。
【００２２】
認証部２０４は、コンテンツ受信装置２が不正な装置ではないか認証処理を実行する。コンテンツ受信装置２は認証部２１０が対応する。認証の際には鍵情報が必要であり、認証部２０４は鍵生成部２０５から、認証部２１０は鍵生成部２１１からそれぞれ取得する。
【００２３】
鍵生成部２０５は、コンテンツの暗号化に必要な鍵情報を生成する。
【００２４】
鍵生成部２１１は、コンテンツの復号化に必要な鍵情報を生成する。
【００２５】
暗号化部２０６は鍵生成部２０５の鍵情報を用いてコンテンツを暗号化処理を行う。
【００２６】
復号化部２１２は鍵生成部２１１の鍵情報を用いてコンテンツの復号化処理を行う。
【００２７】
ネットワーク通信処理部２０８は認証部２０４との認証データの授受および暗号化されたコンテンツを暗号化部２０６から受け取り、ＬＡＮなどのネットワークを介してコンテンツ受信装置２と通信を行う。コンテンツ受信装置２は、ネットワーク通信処理部２０９を介してコンテンツ送信装置１と通信を行う。コンテンツ送信装置１から送られてくるコンテンツをネットワーク通信処理部２０９で受信した後、暗号化されたコンテンツは復号化部２１２に送られる。
【００２８】
ＤＶＤやＢＤの規格で記録されたコンテンツをＤＴＣＰ−ＩＰ規格で送信する場合、コンテンツの再生情報はネットワーク通信処理部２０８、２０９を介して送信される。コンテンツ一覧情報はネットワーク通信処理部２０８、２０９にて通信確立後に送信される。例えば電源起動時やネットワーク再生モードに遷移したとき、あるいはユーザがコンテンツ一覧表示操作を行ったときなどのタイミングでコンテンツ一覧情報が送信される。また、コンテンツ一覧情報に変更があった場合にはその都度送信するか、次回ユーザがコンテンツ一覧表示操作を行ったとき更新されたコンテンツ一覧情報を送信する。
【００２９】
復号化部２１２はあらかじめコンテンツ送信装置１と認証を行い、適切な鍵が鍵生成部２１１で生成されている。この鍵情報を利用して復号化部２１２はコンテンツを復号化する。
【００３０】
コンテンツ受信部２１４は、復号化部２１２から受信したコンテンツから重畳された再生情報を取り出し、再生情報管理部２１３に送信する。コンテンツ自体はコンテンツ再生部２１５に送られる。
【００３１】
再生情報管理部２１３は、コンテンツ送信装置１の再生情報生成部２０２で生成された再生情報をコンテンツ受信部２１４から受信し、後述するコンテンツ再生部２１５と連携して再生情報に基づいてデータを再生制御するものであり、具体的な動作については後述する。
【００３２】
コンテンツ再生部２１５は、コンテンツ受信部２１４で受信したコンテンツの再生制御を行う。コンテンツ再生部２１５の構成を図４に示す。コンテンツ再生部２１５は、ＣＰＵ４０２とメモリ４０３、映像音声伸張制御部４０４、出力Ｉ／Ｆ４０５、入力Ｉ／Ｆ４０６、再生制御部４０７が互いにバス４０１で接続されている。
【００３３】
メモリ４０３は、コンテンツ受信部２１４からのコンテンツデータを一時的に蓄える領域である。
【００３４】
映像音声伸張制御部４０４は、メモリ４０３に蓄えられたコンテンツデータを映像音声ともに伸張し出力Ｉ／Ｆ４０５へと出力する。ＤＶＤやＢＤのコンテンツデータのフォーマットは映像の場合はMPEG（Moving Picture Experts Group）方式やH.264方式で符号化され、音声はAAC（Advanced Audio Coding）やDolby Digital（Dolby Laboratories, Incが開発した音声のデジタル符号化方式）形式で符号化されている。また、これらの映像音声データはＴＳ（Transport Stream）で多重化されている。このような形式のコンテンツデータを映像と音声に分離し、それぞれ伸張するのが映像音声伸張制御部４０４である。尚、本発明はこれらフォーマットに依存するものではなく、ＤＶＤやＢＤなど記録媒体に記録されたフォーマットによって規定されたフォーマットであればよい。
【００３５】
出力Ｉ／Ｆ４０５は、映像や音声など出力するＩＦであり、本実施例ではディスプレイ４５０が接続され、ユーザはディスプレイ４５０に表示されたコンテンツを閲覧できる。出力Ｉ／Ｆ４０５の種類は映像音声を一本のケーブルで接続でき高品位なデジタルデータを伝送可能なＨＤＭＩ（High-Definition Multimedia Interface）や液晶ディスプレイなどのデジタル・ディスプレイ装置の為に設計されたDisplayPortが好適だが、本発明はこれに限定しない。その他のＩ／Ｆとしては、映像を伝送するためのD端子やコンポーネント端子、DVI（Digital Visual Interface）端子などがあり、音声を伝送するためにS/PDIF（Sony Philips Digital Interface）などがある。また、映像音声信号を他のＩＦに重畳してもよい。例えばイーサネット（登録商標） (Ethernet)のＩＦあるいは無線ＬＡＮを介して、映像音声データをTCP/IPプロトコルを介して伝送してもよい。
【００３６】
入力Ｉ／Ｆ４０６は、ユーザからの要求を受け付ける。赤外線で命令コマンドを受信するリモコン４５１やコンテンツ受信装置２に備え付けのボタン４５２がある。リモコン４５１、ボタン４５２にはコンテンツの再生やスキップ、一時停止など操作ができるようになっている。また、ディスプレイ４５０を確認しながら上下左右に指示し、ディスプレイ４５０に表示されたメニューを操作することでも指示することができるように上下左右および決定ボタンを備える。
【００３７】
ここで、再生情報が付加された場合の例について説明する。図５は横軸にコンテンツの全体の再生時間軸を表している。コンテンツの一部に再生制限区間として読飛ばし禁止区間（ＴＣ１からＴＣ２までの区間）をコンテンツ製作者が設定している例を示す。コンテンツ送信装置は記録媒体３から再生情報を読出し、ＴＣ１からＴＣ２まで読飛ばし禁止であることをコンテンツ送信部２０３に通知し、コンテンツ受信装置２に送信する。コンテンツ受信装置２は該再生情報をコンテンツ受信部２１４で受信し、再生情報管理部２１３で該再生情報を保持する。ここで再生時刻がＴ１の時、ユーザが早送り指示をリモコン４５１から実行した場合、コンテンツ再生部２１５は再生情報管理部２１３に問い合わせ、ユーザの操作を受付可能か判断する。再生時刻Ｔ１の時は、コンテンツ製作者が読飛ばしを禁止している区間なので、コンテンツ再生部２１５はユーザからの操作を受けつけず、再生を続ける。このとき、ディスプレイ４５０に再生が制限されている旨をアイコンやメッセージで表示してもよい。メッセージを表示することによって、リモコン４５１の指示が正しくコンテンツ受信装置２に伝わっていないのか、再生制限区間なのかユーザが知ることができ、混乱が生じない。
【００３８】
このように、記録媒体３に記録されたコンテンツに製作者の意図などが含まれる再生情報を、コンテンツ送信する際にコンテンツ受信装置が解釈できる形式でコンテンツと同時に送信することで記録媒体３のコンテンツ製作者の意図どおりに再生することができる。
【実施例２】
【００３９】
次に再生情報に制限がある場合、その制限を守りつつユーザの操作を最小限に抑える例について説明する。
【００４０】
構成は実施例１と同様なので省略する。
【００４１】
図６は横軸にコンテンツの全体の再生時間軸を表している。上段は記録されたコンテンツの全体像を表し、下段は実際に再生される順序を横軸時間で表したものである。記録されたコンテンツは３タイトルから構成されており、先頭のタイトルだけ再生制限区間（読飛ばし禁止）が設定されている。このとき、ユーザがＴ３の位置から再生する例を示す。図７のフローチャートはユーザが途中（図６のＴ３の位置）から映像を見ようとしたときの受信装置２の処理フローである。まず、コンテンツ受信装置２はユーザから特殊再生要求を受け付ける（Ｓ７０１）。次に、受信装置は現在の再生位置と要求位置でその特殊再生操作ができるかどうかを判断する（Ｓ７０２）。Ｔ３の位置にシークできるかどうかは、再生情報に記載されている。再生情報は再生情報生成部２０２で生成され、ディスク認識時、起動直後、受信装置と送信装置の認証成功後、コンテンツ再生中のいずれかのタイミングでコンテンツ送信装置１からコンテンツ受信装置２に送信される。図８に記録されたコンテンツの内容の例を示す。コンテンツは３タイトルで構成されており、タイトル番号１のコンテンツは必ず再生し、読み飛ばしが禁止されている。したがってユーザがＴ３の位置すなわち、タイトル番号３の途中から再生しようとする場合、ユーザが指定した再生位置ではなく、コンテンツ受信装置２は再生制限のある区間のデータを転送するようにコンテンツ送信装置１に転送指示する（Ｓ７０４）。再生制限区間の再生が終了すると、コンテンツ受信装置２はコンテンツ送信装置１に対して、最初にユーザが要求した位置からのデータを転送するように転送指示する（Ｓ７０５）。また、ユーザが再生制限区間を再生し終わった後に特殊再生する場合は、コンテンツ受信装置２はコンテンツ送信装置１に対してユーザ指定位置からの転送指示を行う（Ｓ７０３）。これにより、ユーザは再生制限区間があっても、特別な操作をすることなく最低限のステップでスキップ動作を実現できる。ユーザ要求が再生制限区間であった場合にエラー画面を表示することもできるが、再生制限区間中にユーザ要求をエラーとして処理してしまうと、再生制限区間を終えるまでユーザが操作できず不便である。本発明のように、再生制限を再生したあとに自動的にユーザが指定する操作を実行することによってコンテンツ製作者の意図どおりに再生しつつユーザの手間を最小限に抑えることができる。
【実施例３】
【００４２】
本実施例では、コンテンツ送信装置が再生制御情報をすべて管理し、コンテンツ受信装置の構成を単純化する例について説明する。
【００４３】
図３に、本実施例の全体構成を示す。コンテンツ送信装置４は内蔵の記録媒体６を備え、コンテンツ読出し部３０１、再生情報生成部３０２、再生制御部３０３、コンテンツ送信部３０４、認証部３０５、鍵生成部３０６、暗号化部３０７、ネットワーク通信処理部３０８を備える。コンテンツ読出し部３０１は記録媒体６と接続され、読み出した情報は再生情報生成部３０２と再生制御部３０３に送られる。映像音声データが著作権保護すべきコンテンツであり、ＡＡＣＳ、ＣＰＲＭ、ＣＳＳ等の暗号化されたデータである場合には、コンテンツ読出し部３０１はコンテンツを復号化しながら読み出す。再生制御部３０３は後述するコンテンツ受信装置５からの指示を受け、再生および特殊再生の実行制御を行い、コンテンツ送信部３０４映像音声データや管理データを転送する。管理データの一例としてＤＬＮＡで規定された形式でコンテンツ名やフォーマット、日時などの情報を持つ。これらの一覧情報であるコンテンツ一覧情報はネットワーク通信処理部３０８、３０９（後術）にて通信確立後に送信される。例えば電源起動時やネットワーク再生モードに遷移したとき、あるいはユーザがコンテンツ一覧表示操作を行ったときなどのタイミングでコンテンツ一覧情報が送信される。また、コンテンツ一覧情報に変更があった場合にはその都度送信するか、次回ユーザがコンテンツ一覧表示操作を行ったとき更新されたコンテンツ一覧情報を送信する。
【００４４】
認証部３０５は再生情報生成部３０２と鍵生成部３０６、ネットワーク通信処理部３０８に接続されている。暗号化部３０７はコンテンツ送信部３０４と鍵生成部３０６とネットワーク信号処理部３０８と接続されている。
【００４５】
コンテンツ受信装置５には、ネットワーク通信処理部３０９、認証部３１０、鍵生成部３１１、復号化部３１２、特殊再生制御部３１３、コンテンツ受信部３１４、コンテンツ再生部３１５を備える。ネットワーク通信処理部３０９は、コンテンツ装置４とＬＡＮを介して接続されている。認証部３１０は鍵生成部３１１と接続されている。鍵生成部３１１は認証部３１０から指示を受取り復号化部３１２に指示する。コンテンツ受信部３１４は復号化部３１２からデータを受取りコンテンツ再生部３１５に出力する。
【００４６】
コンテンツ読出し部３０１、再生情報生成部３０２、認証部３０５、３１０、鍵生成部３０６、３１１、暗号化部３０７、ネットワーク通信処理部３０８、３０９、復号化部３１２、コンテンツ受信部３１４は実施例１と同等であるため詳細な説明は省略する。
【００４７】
再生制御部３０３は再生情報生成部３０２から取得する再生情報を記憶しておく。再生情報には実施例１で述べたとおり、スキップ操作が禁止されている区間などの情報を含む。
【００４８】
コンテンツ受信装置５はユーザによって特殊再生要求があると、特殊再生制御部３１３がネットワーク通信部３０９を介してコンテンツ送信装置４に特殊再生要求を出す。特殊再生要求には、コンテンツの再生位置情報を含んでおり、例えばタイトル番号やシーン番号、シーン先頭からの経過時間（時間指定ジャンプ）あるいはシーン先頭からのバイト数（バイト指定ジャンプ）などがある。この再生位置情報はコンテンツ送信装置４のネットワーク通信処理３０８を介して再生制御部３０３に送られる。再生制御部３０３は再生情報生成部３０２から取得した再生情報から要求された区間が再生可能であるかどうかを判断し、再生可能であれば該当位置からコンテンツをコンテンツ読出し部３０１から読出し、暗号化部３０７、ネットワーク通信処理部３０８を介してコンテンツ受信装置５にコンテンツを送信する。
【００４９】
ここで、特殊再生要求位置が再生禁止区間であった場合について説明する。コンテンツ受信装置５はユーザによって特殊再生要求があると、特殊再生制御部３１３がネットワーク通信部３０９を介してコンテンツ送信装置４に特殊再生要求を出す。特殊再生要求の内容は前述のとおりである。この再生位置情報はコンテンツ送信装置４のネットワーク通信処理３０８を介して再生制御部３０３に送られる。再生制御部３０３は再生情報生成部３０２から取得した再生情報から要求された区間が再生可能であるかどうかを判断し、特殊再生要求位置が再生禁止区間であった場合には、コンテンツ読出し部３０１は読出し位置を変更せず、コンテンツを送信する。コンテンツ送信部３０４はエラー情報を重畳してコンテンツ受信装置５に送信する。コンテンツ受信装置５はコンテンツ受信部３１４で該エラー情報を受信しコンテンツ再生部３１５に通知する。エラー情報には、再生禁止区間であることを示す場合もあれば、コンテンツ送信装置４との通信に不具合が発生した場合など、機器の障害情報も伝送することができ、それぞれ区別できるようにエラーコードにより管理する。コンテンツ再生部は再生禁止区間であるというエラー情報を受け取ると、ユーザに対して特殊再生がエラーであった旨を画面表示装置（図示されていない）のＧＵＩで通知する。尚、エラー情報の伝達方法は、コンテンツ送信部３０４でＴＣＰＩ／ＩＰのヘッダ部分に書き込む方法や、ＨＴＴＰのヘッダに書き込む方法、または、ネットワーク通信処理部３０８、３０９間でコンテンツデータの転送とは別の制御用のポートを利用して通知するなどといった方法があるが、本発明はこれに限定するもではない。
【００５０】
以上により、コンテンツ受信装置５はコンテンツ送信装置４の記憶媒体６に記録されたコンテンツから生成される再生情報の内容をすべて受信しなくても、記憶媒体６に記録されたコンテンツの製作者の意図どおりに再生することができる。
【００５１】
なお、本発明の構成は、前述の実施形態にのみ限定されるものではなく、本発明の要旨を逸脱しない範囲内において種々変更を加えてもよい。例えば、コンテンツ送信装置と受信装置が一体となった装置でもよい。また、コンテンツ送信装置としてＢＤ／ＤＶＤドライブを備えたテレビ、コンテンツ受信装置として携帯電話の組み合わせで利用すると、テレビに保存したコンテンツを携帯電話の電波圏内であれば事前に携帯電話にコンテンツを送信する必要がないため、コンテンツを視聴したいときにすぐに視聴することができ、本発明の効果的な組み合わせ例である。
【００５２】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００５３】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid State Drive）等の記録装置、または、ＩＣカード、ＳＤカード、ＤＶＤ等の記録媒体に置くことができる。
【００５４】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００５５】
１００：コンテンツ送信装置
１０１：光ディスクドライブ
１０２：内蔵ストレージ
１０３：テレビ
１０４：ＬＡＮ（Ｌｏｃａｌ  Ａｒｅａ  Ｎｅｔｗｏｒｋ）
【図１】
2012178622.tif 000003
【図２】
2012178622.tif 000004
【図３】
2012178622.tif 000005
【図４】
2012178622.tif 000006
【図５】
2012178622.tif 000007
【図６】
2012178622.tif 000008
【図７】
2012178622.tif 000009
【図８】
2012178622.tif 000010